(57)【要約】【課題】  発光管の蛍光体層に悪影響を与えることなく、かつ安定動作が可能な、波長４００ｎｍ以下の光の透過を抑止する層（紫外線透過抑止層）を有する蛍光ランプを提供する。【解決手段】  本蛍光ランプ１は、内面に蛍光体が塗布された発光管４と、発光管４の駆動用回路５と、発光管４と駆動回路５を固定するホルダー６を具備する。発光管４はグローブガラス７に覆われている。このグローブガラス７の内表面および外表面の少なくとも一方に波長４００ｎｍ以下の光の透過を抑止する層（紫外線透過抑止層）８を設ける。紫外線透過抑止層８は、例えば、酸化チタンに加え、三酸化アンチモン、酸化アルミニウム、酸化ケイ素、および酸化亜鉛の少なくとも１種類を混合したものを含む。【選択図】  図１
2006100107.tif 000002
【特許請求の範囲】
【請求項１】
内面に蛍光体が塗布された発光管と、前記発光管の駆動用回路と、前記発光管と前記駆動回路を固定するホルダーを具備する蛍光ランプであって、前記発光管を覆うグローブガラスを備え、前記グローブガラスの内表面および外表面の少なくとも一方に波長４００ｎｍ以下の光の透過を抑止する層を設けたことを特徴とする蛍光ランプ。
【請求項２】
内面に蛍光体が塗布された発光管と、前記発光管の駆動用回路と、前記発光管と前記駆動回路を固定するホルダーを具備する蛍光ランプであって、前記発光管の外表面に波長４００ｎｍ以下の光の透過を抑止する層を設けたことを特徴とする蛍光ランプ。
【請求項３】
前記波長４００ｎｍ以下の光の透過を抑止する層は、酸化チタンに加え、三酸化アンチモン、酸化アルミニウム、酸化ケイ素、および酸化亜鉛の少なくとも１種類を混合したものを含むことを特徴とする請求項１または２記載の蛍光ランプ。
【発明の詳細な説明】
【技術分野】
【０００１】
本発明は蛍光ランプに係り、特に蛍光ランプの発光管より放射される紫外線の透過を抑止する層を有する蛍光ランプに関するものである。
【背景技術】
【０００２】
蛍光ランプの発光管より放射される紫外線は例えば器具や家具等の退色及び劣化をまねき、また４００ｎｍ以下の光に視感度を持つ昆虫類を誘引するため、従来より、このような紫外線の透過を抑止する機能を有する、いわゆる無紫外線蛍光ランプが提案されている。この無紫外線蛍光ランプは、例えば発光管内面の蛍光体層とガラス管との間に酸化チタン、酸化セリウム等の波長４００ｎｍ以下の光の透過を抑止する物質を塗布したものである。この種の蛍光ランプは例えば特開平８−１０２２９５号公報に記載されている。
【特許文献１】特開平８−１０２２９５号公報
【発明の開示】
【発明が解決しようとする課題】
【０００３】
従来の蛍光ランプに波長４００ｎｍ以下の光の透過を抑止する物質を塗布する技術では、発光管のガラスバルブ内表面に波長４００ｎｍ以下の光の透過を抑止する物質を塗布後、その上に蛍光体を塗布する必要があった。しかし、ここで塗布される波長４００ｎｍ以下の光の透過を抑止する物質の層が厚いため、発光管の管曲げの工程でガラス管の加工が難しく、蛍光体層が剥離しやすいという問題があった。又、波長４００ｎｍ以下の光の透過を抑止する物質の層が厚いため、発光管製造工程において不純ガスが発光管外に充分排気できず、残留した不純ガスにより発光管の始動電圧が上昇し不点灯に至る恐れがあるという問題があった。
【０００４】
従って本発明の目的は、発光管の蛍光体層に悪影響を与えることなく、かつ安定動作が可能な、波長４００ｎｍ以下の光の透過を抑止する層（紫外線透過抑止層）を有する蛍光ランプを提供することにある。
【課題を解決するための手段】
【０００５】
本発明は、蛍光ランプにおいて発光管の内側でなく外側に紫外線透過抑止層を設けることにより、上記問題を解決しようとするものである。
【０００６】
すなわち、上記目的は、内面に蛍光体が塗布された発光管と、前記発光管の駆動用回路と、前記発光管と前記駆動回路を固定するホルダーを具備する蛍光ランプであって、前記発光管を覆うグローブガラスを備え、前記グローブガラスの内表面および外表面の少なくとも一方に波長４００ｎｍ以下の光の透過を抑止する層を設けた蛍光ランプにより、達成される。
【０００７】
また、上記目的は、内面に蛍光体が塗布された発光管と、前記発光管の駆動用回路と、前記発光管と前記駆動回路を固定するホルダーを具備する蛍光ランプであって、前記発光管の外表面に波長４００ｎｍ以下の光の透過を抑止する層を設けた蛍光ランプにより、達成される。
【０００８】
ここで、前記波長４００ｎｍ以下の光の透過を抑止する層は、酸化チタンに加え、三酸化アンチモン、酸化アルミニウム、酸化ケイ素、および酸化亜鉛の少なくとも１種類を混合したものを含むことができる。
【発明の効果】
【０００９】
本発明によれば、発光管の蛍光体層に悪影響を与えることなく、かつ安定動作が可能な、波長４００ｎｍ以下の光の透過を抑止する層（紫外線透過抑止層）を有する蛍光ランプを提供することができる。すなわち、本発明では、発光管製造工程を変更する事なく、簡単な構造で、かつ、波長４００ｎｍ以下の光の透過を抑止する物質を発光管内表面に塗布した場合と同様に、蛍光ランプより放射される紫外線を抑制できる。これにより、蛍光ランプより放射される紫外線による器具や家具等の退色及び劣化を低減することが可能であり、また４００ｎｍ以下の光に視感度を持つ昆虫類の誘引を低減することができる。
【発明を実施するための最良の形態】
【００１０】
以下、本発明に係る蛍光ランプの実施例について電球形蛍光ランプを例にとって図面を参照しながら説明するが、本発明は電球形蛍光ランプに限定されない。
【実施例１】
【００１１】
図１は本発明に係る電球形蛍光ランプの一実施例を示す図で、（ａ）はランプの一部切欠き図、（ｂ）は（ａ）のＡ部の拡大図である。図１（ａ）に示すように、電球形蛍光ランプ１は、樹脂製のカバー２と、カバー２に固定された口金３と、例えば１つまたは複数のＵ字状屈曲形バルブからなる発光管４と、発光管４の駆動用回路５と、発光管４と駆動回路５を固定する樹脂製のホルダー６と、光拡散膜が未塗布のグローブガラス７とを備えて構成される。発光管４は、両端に電極を備え、内部には水銀および希ガスを含む放電媒体が封入されており、また、内面には蛍光体が塗布されている。発光管４はグローブガラス７で覆われている。
【００１２】
これらの構成要素のうち、グローブガラス７は、図１（ｂ）に示すように、その内表面に波長４００ｎｍ以下の光の透過を抑止する層（紫外線透過抑止層）８が形成されている。この紫外線透過抑止層８は、例えば、酸化チタンに加え、三酸化アンチモン、酸化アルミニウム、酸化ケイ素、および酸化亜鉛の少なくとも１種類を混合したものを含む。グローブガラス７は、その内表面に予め光拡散膜が塗布されていても構わない。また、紫外線透過抑止層８はグローブガラス７の外表面に形成されても構わない。すなわち、紫外線透過抑止層８はグローブガラス７の内表面および外表面の少なくとも一方に設けることができる。また、グローブガラス７の内表面や外表面に形成される紫外線透過抑止層８は不均一でも構わない。
【００１３】
本実施例における紫外線透過抑止層８の効果は次のとおりである。すなわち、紫外線透過抑止層８をグローブガラス７の内表面および外表面の少なくとも一方に形成することにより、発光管製造工程を変更する事なく、簡単な構造で、発光管内表面に紫外線透過抑止層８を形成した場合と同様に、蛍光ランプより放射される紫外線の透過を抑制することができる。
【００１４】
図２は、本発明に係る紫外線透過抑止層を形成した電球形蛍光ランプと従来の紫外線透過抑止層未形成の電球形蛍光ランプの各発光強度曲線の一例を示すグラフである。本図の横軸は蛍光ランプから放射される光の波長（ｎｍ）を示し、縦軸は蛍光ランプの相対発光強度（任意単位）を示す。図２において、本発明に係る紫外線透過抑止層８を形成した電球形蛍光ランプの発光強度曲線９と従来の紫外線透過抑止層未形成の電球形蛍光ランプの発光強度曲線１０とを比較すると分かるとおり、本発明に係る電球形蛍光ランプは発光管から放射される紫外線を約８０％低減することができる。これにより、本発明によれば、紫外線による器具や家具等の退色及び劣化を抑えることができ、また４００ｎｍ以下に視感度曲線１１を持つ昆虫類の誘引を、紫外線透過抑止層８未形成の電球形蛍光ランプを使用した場合の０．４〜０．５倍に低減することができる。
【実施例２】
【００１５】
図３は本発明に係る電球形蛍光ランプの他の実施例を示す図で、（ａ）はランプの一部切欠き図、（ｂ）は（ａ）のＡ部の拡大図である。図３（ａ）に示すように、電球形蛍光ランプ１は、樹脂製のカバー２と、カバー２に固定された口金３と、１つまたは複数のＵ字状屈曲形バルブからなる発光管４と、発光管４の駆動用回路５と、発光管４と駆動回路５を固定する樹脂製のホルダー６と、光拡散膜が未塗布のグローブガラス７とを備えて構成される。発光管４は、両端に電極を備え、内部には水銀および希ガスを含む放電媒体が封入されており、また、内面には蛍光体が塗布されている。発光管４はグローブガラス７で覆われている。
【００１６】
これらの構成要素のうち、発光管４は、図３（ｂ）に示すように、その外表面に紫外線透過抑止層８が形成されている。この場合、グローブガラス７は内表面に光拡散膜が塗布されていても構わない。また、発光管４の外表面に形成される紫外線透過抑止層８は不均一でも構わない。なお、本実施例では紫外線透過抑止層８は発光管４の外表面に設けられており、グローブガラス７を省略してグローブレスタイプの蛍光ランプとすることができる。
【００１７】
本実施例においても、図２の発光強度曲線９を得ることができ、上記実施例１の場合のように、簡単な構造で、発光管内表面に紫外線透過抑止層８を形成した場合と同様に、蛍光ランプより放射される紫外線の透過を抑制することができる。
【産業上の利用可能性】
【００１８】
本発明は蛍光ランプに係り、特に蛍光ランプの発光管より放射される紫外線の透過を抑止する層を有する蛍光ランプに関するものであり、産業上の利用可能性がある。
【図面の簡単な説明】
【００１９】
【図１】本発明に係る電球形蛍光ランプの一実施例を示す図で、（ａ）はランプの一部切欠き図、（ｂ）は（ａ）のＡ部の拡大図である。
【図２】本発明に係る紫外線透過抑止層を形成した電球形蛍光ランプと従来の紫外線透過抑止層未形成の電球形蛍光ランプの各発光強度曲線の一例を示すグラフである。
【図３】本発明に係る電球形蛍光ランプの他の実施例を示す図で、（ａ）はランプの一部切欠き図、（ｂ）は（ａ）のＡ部の拡大図である。
【符号の説明】
【００２０】
１  電球形蛍光ランプ
２  樹脂製カバー
３  口金
４  発光管
５  駆動用回路
６  ホルダー
７  グローブガラス
８  紫外線透過抑止層
９  本発明に係る電球形蛍光ランプの発光強度曲線
１０  従来の電球形蛍光ランプの発光強度曲線
１１  昆虫の視感度曲線
【図１】
2006100107.tif 000003
【図２】
2006100107.tif 000004
【図３】
2006100107.tif 000005